(57)【特許請求の範囲】
【請求項１】
上下の框間に縦中桟を架設するとともに、前記上下の框の端部間にそれぞれ縦枠材を架設して枠体を形成し、この枠体の表面に内装下地ボードを設けてなる間仕切り壁パネルであって、
前記内装下地ボードの幅寸法を整数で除した値を基本寸法とし、
前記縦中桟の端部を嵌め込み可能で幅寸法がｄの凹部と、前記縦枠材の端部を嵌め込み可能で幅寸法がｄ／２の半凹部とを長さ方向に前記基本寸法ピッチで形成してなる長尺な框材料を所望の前記凹部の中央で切断することによって形成されるか、または切断しないそのままの框材料で形成された上下の框と、
前記上下の框の対向する所望の凹部に、両端部が嵌め込まれた幅寸法がｄの縦中桟と、
前記上下の框の対向する一方の端部の半凹部に、両端部が嵌め込まれた幅寸法がｄでかつ端部の幅寸法がｄ／２の縦枠材と、
前記上下の框の対向する他方の端部の半凹部に、両端部が嵌め込まれた幅寸法がｄ／２の縦枠材とによって前記枠体が構成されていることを特徴とする間仕切り壁パネル。
【請求項２】
請求項１に記載の間仕切り壁パネルにおいて、
前記上框の側面には、間仕切り壁パネルの上部を天井に固定するための固定金物を前記上框の側面とほぼ面一かまたは該側面より窪ませて取り付けるための取付部が、上框の長手方向に所定間隔で複数形成されていることを特徴とする間仕切り壁パネル。
【発明の詳細な説明】
【技術分野】
【０００１】
本発明は、建物内、特に、鉄筋コンクリート造の集合住宅内に設置される間仕切り壁パネルに関する。
【背景技術】
【０００２】
マンション等の集合住宅の間仕切り壁は、現状では任意の寸法で設計されており、例えば、間柱を立てるとともに、これら間柱間に上枠材や下枠材などの横桟を設けて、壁下地材である架構をつくりその上に石膏ボードを張った構成となっているものがある。
間仕切り壁を現場で施工する場合、例えば、コンクリートの躯体に直接、墨出しを行い、単なる角材（３０mm×４５mmなどの断面の長尺部材）を適宜カットして組み立てられている。しかし、そもそも躯体自体の精度が低いこともあり、間仕切り壁もミリ単位での精度はなかなか確保することは困難である。そのために、ドアや収納、あるいはキッチンセット、洗面台などの工場生産品は、先にできた壁の内側に合せることができず、出来上がった現場の壁寸法に合せて単品注的に作ったり、あるいは誤差を見込んであらかじめ小さめにつくり隙間を埋める設計にせざるを得なかった。つまり工場生産品などとの連動ができず、施工の効率が上がらない。
【０００３】
また、一般にマンションの施工現場において、施工の順番としては、最初に配管施工を行い、内部の間仕切り壁をつくってから最後に床下地をつくる壁先行工法がほとんどであるため、間仕切り壁を作る時はまだ平らの床下地そのものがなく、さらに壁を作る時点ではコンクリートの床上には給水、排水、電気、ガスなどの設備配管がたくさんあるため、そうした配管類が壁パネルを組み立てる時に作業的に干渉してしまった。建築現場に余裕のある平滑なスペースがなく、現場においてパネルをつくるという発想がなかったため、現場における壁のパネル化及びシステム化が阻害されてきた。つまり壁を先につくる壁先工法では壁のパネル化は困難であった。
【０００４】
これに対して、床を先に施工して間仕切りを設ける工法も例えば特許文献１等に開示されている。この間仕切り壁は、建物躯体の躯体床上に支持脚を介して先行床が架設されており、この先行床と天井面とに間仕切り壁の両端部が結合固定されたものである。これにより、躯体床と先行床との間に各種配管を収納することができるとともに、先行床上に配管が露出しないため、間仕切り壁を含めた全体の施工を容易に行うことができる。
ところで、近年、マンション等では、フリープランといわれる間仕切り壁の位置等の間取りを購入者が選択できる方式が行われている。このフリープランにおいては、上述した先行床を設置した後に、間仕切り壁の位置が決められて該間仕切り壁が設置され、リフォーム時には、間仕切り壁が撤去された後再び所望の位置に間仕切り壁が設置される。
【特許文献１】特開平８−４２０３０号公報
【発明の開示】
【発明が解決しようとする課題】
【０００５】
しかしながら、フリープランに使用される間仕切り壁を構成する間仕切り壁パネルはその寸法が規格化されていないことが多いため、現場で墨出しして、長尺の角材をカットして軸組みをつくり、それに石膏ボード等を張って間仕切り壁パネルをつくっていたのでは、現場での工作精度が低く、またトータルとしての生産性も低い。しかし、工場で上記のような間仕切り壁パネルを組み立ててくると、パネル精度は高くとも、パネルは嵩張るため、現場に輸送し、保管し養生をする必要があるばかりか、あまりに様々のサイズによるバリエーションの壁を工場で製造管理するのには非常に手間とコストがかかる。
【０００６】
本発明は上記事情に鑑みてなされたものであり、現場において様々のサイズの間仕切り壁を容易にかつ精度高く製造できる間仕切り壁パネルを提供することを課題としている。
【課題を解決するための手段】
【０００７】
上記課題を解決するために、請求項１に記載の発明は、例えば図５に示すように、上下の框７，６間に縦中桟８を架設するとともに、前記上下の框７，６の端部間にそれぞれ縦枠材８ａ，８ｂを架設して枠体５Ｗを形成し、この枠体５Ｗの表面に内装下地ボードを設けてなる間仕切り壁５パネルであって、
前記内装下地ボードの幅寸法を整数で除した値を基本寸法Ｍとし、
前記縦中桟８の端部を嵌め込み可能で幅寸法がｄの凹部７ｃ，６ｃと、前記縦枠材８ａ，８ｂの端部を嵌め込み可能で幅寸法がｄ／２の半凹部７ａ，６ａ，７ｂ，６ａとを長さ方向に前記基本寸法Ｍピッチで形成してなる長尺な框材料を所望の前記凹部７ｃ，６ｃの中央で切断することによって形成されるか、または切断しないそのままの框材料で形成された上下の框７，６と、
前記上下の框７，６の対向する所望の凹部７ｃ，６ｃに、両端部が嵌め込まれた幅寸法がｄの縦中桟８と、
前記上下の框の対向する一方の端部の半凹部７ｂ，６ｂに、両端部が嵌め込まれた幅寸法がｄでかつ端部の幅寸法がｄ／２の縦枠材８ｂと、
前記上下の框７，６の対向する他方の端部の半凹部７ａ，６ａに、両端部が嵌め込まれた幅寸法がｄ／２の縦枠材８ａとによって前記枠体５Ｗが構成されていることを特徴とする。
【０００８】
また、請求項２に記載の発明は、例えば図８および図９に示すように、請求項１に記載の間仕切り壁パネルにおいて、
前記上框７の側面には、間仕切り壁パネル５の上部を天井に固定するための固定金物１０を前記上框７の側面とほぼ面一かまたは該側面より窪ませて取り付けるための取付部１１が、上框７の長手方向に所定間隔で複数形成されていることを特徴とする。
【発明の効果】
【０００９】
請求項１に記載の発明によれば、框材料を所望の凹部の中央で切断するかまたは切断しないでそのままの框材料で形成された上下の框は、前記基本寸法の整数倍となっている。
そして、この基準寸法の整数倍となっている上下の框の対向する所望の凹部に、幅寸法がｄの縦中桟の両端部が嵌め込まれ、上下の框の対向する一方の端部の半凹部に、幅寸法がｄでかつ端部の幅寸法がｄ／２の縦枠材の両端部が嵌め込まれ、上下の框の対向する他方の端部の半凹部に、幅寸法がｄ／２の縦枠材の両端部が嵌め込まれてなる枠体はその幅寸法が基本寸法の整数倍となった矩形枠状となる。このような枠体を製造する際に、凹部や半凹部がガイドとなるので、いちいち位置出し、墨出しを行う必要がない。そして、この枠体の表面に内装下地ボードを設けることによって間仕切り壁がつくられる。前記基準寸法は、内装下地ボードの幅寸法を整数で除した値であるので、枠体の表面には内装下地ボードを無駄なく設けることができる。
また、間仕切り壁パネルをコーナ部で直角に接続する場合、一方の間仕切り壁パネルの一方の端部に、他方の間仕切り壁パネルの他方の端部を接続する際に、幅寸法がｄの縦枠材に幅寸法がｄ／２の縦枠材を突き当てることによって、間仕切り壁パネルどうしを精度良く接続できる。
このように間仕切り壁パネルをそのまま、あるいは複数接続することによって、現場において様々のサイズの間仕切り壁を容易にかつ精度高く製造できる。
特に、上記のような基準寸法を１モジュールとして、住戸の平面プランを作成することによって、前記間仕切り壁パネルによって精度よくかつ容易に間仕切り壁を施工することができる。
【００１０】
請求項２に記載の発明によれば、上框の側面に、間仕切り壁パネルの上部を天井に固定するための固定金物を取り付けるための取付部が所定間隔で複数形成されているので、間仕切り壁パネルの上端部を天井に容易に固定できる。
また、取付部に固定金物を取り付けた場合、固定金物が上框の側面とほぼ面一かまたは該側面より窪んでいるので、上框の側面に内装下地ボードを固定金物に干渉することなく設けることができる。
【発明を実施するための最良の形態】
【００１１】
以下、図面を参照して、本発明の実施の形態について説明する。
図１は、鉄筋コンクリート造建物の集合住宅の一居住空間Ｓを示す平面図である。この居住空間Ｓは、建物躯体の躯体床１に平行離間して設けられた先行床２と、天井との間に設けられた本発明にかかる間仕切り壁パネル５を有している。この間仕切り壁パネル５は、縦横にかつ所定寸法毎に仮想グリッド線２ｃが引かれた図示しない仮想床面を先行床２の床面と等しい大きさに設定するとともにこれらを重ね合わせた際の仮想グリッド線２ｃに沿って設置されており、間仕切り壁パネル５の幅はモデュールによって決められている。
なお、モデュールとは、建築のあらゆる部分を一定の大きさの倍数関係に整えようとするときの基準になる寸法をいい、本実施形態では仮想グリッド線２ｃの所定寸法、すなわち３０ｃｍとする。また、図１，２，４（ａ）については、説明の便宜上、仮想床面に引かれた仮想グリッド線２ｃを実際の居住空間Ｓに重ね合わせて表示している。
【００１２】
図２に示すように、躯体床１は、鉄筋コンクリート造の建築躯体に設けられたスラブ床であり、鉄筋コンクリート造の外壁Ｗ１及び内壁Ｗ２によって囲まれた居住空間Ｓ内において、面一に形成されている。この躯体床１には、縦横にかつ所定寸法毎に仮想グリッド線２ｃが引かれた図示しない仮想床面を先行床２の床面と等しい大きさに設定するとともにこれらを重ね合わせた際の仮想グリッド線２ｃ同士の交点に支持脚３が設置されている。さらに詳しくは、支持脚３は、縦方向及び横方向に並んだ仮想グリッド線２ｃ同士の交点に１つおきに対応するようになっており、縦方向及び横方向に６０ｃｍ毎に設置されている。
【００１３】
図２，３に示すように、支持脚３は、躯体床１に当接する円板状の基部３ａと、この基部３ａから上方に延出する脚部３ｂと、この脚部３ｂの上端に設けられ、正方形板状の設置板３ｃと、を備えており、この設置板３ｃ上に、先行床２が設置されている。
なお、支持脚３の基部３ａには、躯体床１と接する部分にゴム等の防振部材を設けてもよい。これにより、支持脚３を介して伝わる音や振動を小さくすることができる。
【００１４】
図１，４に示すように、先行床２は、支持脚３上に設置された複数の床パネル２ａと、これら床パネル２ａ上に設置された床材２ｂと、を備えている。また、先行床２は躯体床１と平行になっている。
【００１５】
床パネル２ａは、例えば、縦が６０ｃｍ、横が１８０ｃｍの長方形板状となっている。これらの寸法は、モデュールのそれぞれ２倍、６倍である。また、床パネル２ａは、その端部が支持脚３の設置板３ｃ上に位置するように設置されている、すなわち、隣接する両床パネル２ａの端部同士が、支持脚３の設置板３ｃ上に位置している。
【００１６】
図１，２に示すように、水道管等の配管４は、仮想床面を先行床２の床面と等しい大きさに設定するとともにこれらを重ね合わせた際の仮想グリッド線２ｃ同士の交点と配管４とが重ならない位置に、躯体床１と先行床２との間に収納された状態で、パイプスペースＰからトイレや浴槽、洗面台等に連結されている。
【００１７】
図１，５に示すように、間仕切り壁パネル５は、仮想床面を先行床２の床面と等しい大きさに設定するとともにこれらを重ね合わせた際の仮想グリッド線２ｃに沿って複数設置されており、以下のように構成されている。
すなわちまず、間仕切り壁パネル５は、枠体５Ｗと、この枠体５Ｗの表面に張り付けられた石膏ボード等からなり内装下地ボードとから構成されている。
前記枠体５Ｗは、下框６と上框７と、これら上下の框７，６間に架設された縦中桟８と、上下の框７，６の端部間に架設された縦枠材８ａ，８ｂとから構成されている。
また、内装下地ボードは、矩形板状の石膏ボードであり、その幅寸法を整数で除した値が基本寸法Ｍとされている。この基本寸法Ｍは前記仮想グリッド線２ｃの所定寸法と等しくなっている。
【００１８】
前記上下の框７，６は、縦中桟８の端部を嵌め込み可能で幅寸法がｄの凹部７ｃ，６ｃと、前記縦枠材８ａ，８ｂの端部を嵌め込み可能で幅寸法がｄ／２の半凹部７ａ，７ｂ、６ａ，６ｂとを長さ方向に前記基本寸法Ｍピッチで形成してなる框材料によって形成されている。なお、上下の框７，６を短く形成したい場合には、前記框材料を前記所望の凹部７ｃ，６ｃの中央で切断することによって形成すればよい。
前記凹部７ｃ，６ｃや半凹部７ａ，７ｂ，６ａ，６ｂは工場等において予め框材料に形成されている。また、上下の框７，６の長さは基本寸法Ｍの整数倍（図５では５倍）の長さとなっている。
なお、図５に示す上下の框７，６は、切断しないそのままの框材料で形成されているが、上下の框材７，６より長尺な框材料を用意しておき、この框材料を所望の凹部７ｃ，６ｃの中央で切断することによって形成してもよい。したがって、この場合でも、得られた上下の框材の端部７，６には半凹部７ａ，７ｂ，６ａ，６ｂが形成されることになる。
【００１９】
前記縦中桟８は、幅寸法がｄの角材で形成されており、その両端部は上下の框７，６の凹部７ｃ，７ｃ，６ｃ，６ｃに嵌めこまれ、これによって、框７，６間に架設されている。また、縦中桟８は２本あり、凹部７ｃは４つ、凹部６ｃは４つあるが、一方の縦中桟８は、左から２つめの凹部７ｃ，６ｃに嵌め込まれ、他方の縦中桟８は、左から４つめの凹部７ｃ，６ｃに嵌めこまれている。なお、縦中桟８は上述したように、４つ凹部７ｃと４つの凹部６ｃとに、一つおきに嵌め込まれているが、４つ凹部７ｃと４つの凹部６ｃとの全てに縦中桟８を嵌め込んでもよい、つまり、縦中桟８を４本としてもよいが、内装下地ボードの厚みや強度等に基づいて、適宜間引いて設けるのが望ましい。
縦枠材８ｂは、幅寸法がｄの角材で形成されており、その両端部には幅寸法がｄ／２の凸部８ｃ，８ｃが形成されている。そして、この縦桟材８ｂは上下の框７，６の対向する一方（左方）の端部の半凹部７ｂ，６ｂに凸部８ｃ，８ｃを嵌め込むことによって、框７，６間の端部間に架設されている。また、半凹部７ｂ，６ｂに凸部８ｃ，８ｃを嵌め込んだ状態において、上下の框７，６の端面と、縦枠材８ｂの側面（左側面）とは面一となっている。
縦枠材８ａは、幅寸法がｄ／２の角材で形成されており、その両端部は、上下の框７，６の対向する他方（右方）の端部の半凹部７ａ，６ａに嵌め込まれ、これによって、框７，６の端部間に架設されている。また、半凹部７ａ，６ａに縦枠材８ａの端部を嵌め込んだ状態において、上下の框７，６の端面と、縦枠材８ａの側面（右側面）とは面一となっている。
【００２０】
上記のような構成の枠体５Ｗは施工現場で形成される。すなわち、縦中桟８を嵌め込み可能で幅寸法がｄの凹部７ｃ，６ｃと、縦枠材８ｂ，８ａを嵌め込み可能で幅寸法がｄ／２の半凹部７ａ，７ｂ，６ａ，６ｂとを基本寸法Ｍピッチで形成してなる框材料を現場に搬入し、この現場において、框材料を所望の凹部７ｃ，６ｃの中央で切断することによって、所望長さの上下の框７，６を形成する。また、框材料の長さが上下の框７，６と等しい長さであれば、框材料を切断することなくそのまま上下の框７，６として使用する。
次に、上下の框７，６の対向する所望の凹部７ｃ，６ｃに縦中桟８の両端部を嵌め込むとともに、上下の框７，６の一方の対向する半凹部７ｂ，６ｂに、幅寸法がｄでかつ端部（凸部８ｃ）の幅寸法がｄ／２となっている縦枠材８ｂの端部（凸部８ｃ）を嵌め込み、他方の対向する半凹部７ａ，６ａに、幅寸法がｄ／２の縦枠材８ａの端部を嵌め込みむことによって、前記枠体５Ｗを形成する。
次に、この枠体５Ｗの表面に内装下地ボード５ｄ（図６参照）を張り付けることによって、間仕切り壁パネル５を完成する。なお、内装下地ボード５ｄは、枠体５Ｗを床に寝かした状態で枠体５Ｗに張り付けてもよいし、枠体５Ｗを立て起こしてその上下端部を床や天井に固定した後、枠体５Ｗの表面に張り付けてもよい。
【００２１】
上記のような現場で製造された間仕切り壁パネルは、例えば以下のようにして設置される。
まず、間取り設計を行う際に、平面視において縦横にモデュールピッチ、すなわち３０ｃｍ毎に仮想グリッド線２ｃが引かれた図示しない仮想床面を設定し、この仮想床面の仮想グリッド線２ｃを基にシステム的に間取り設計を行う。
【００２２】
次に、図２に示すように、スラブ床である建物躯体の躯体床１に、先行床２（図１参照）を支持する支持脚３を設置する。このとき、支持脚３は、仮想床面を先行床２の床面と等しい大きさに設定するとともにこれらを重ね合わせた際の仮想グリッド線２ｃ同士の交点に、縦方向及び横方向に１つおきに配置する。すなわち、支持脚３は、躯体床１に、縦方向及び横方向に６０ｃｍ毎に設置する。
【００２３】
次に、決定された間取りに従って、水道管等の各種配管４を設置する。これら配管４は、仮想床面を先行床２の床面と等しい大きさに設定するとともにこれらを重ね合わせた際の仮想グリッド線２ｃ同士の交点と配管４とが重ならない位置に配置する。
【００２４】
次に、図４に示すように、支持脚３の設置板３ｃ上に、床パネル２ａを設置する。これら床パネル２ａは、長手方向を全て同じ方向、すなわち横方向に合わせ、縦方向に隣接する床パネル２ａ同士をモデュールの偶数倍、例えば６０ｃｍずつ横方向にずらした状態で設置する。また、床パネル２ａの四隅は、支持脚３の設置板３ｃ上に位置するようにする。
【００２５】
次に、前記枠体５Ｗまたはこの枠体５Ｗの一方の面に内装下地ボード５ｄを張り付けてなる間仕切り壁パネルを床上に設置する。その場合、仮想床面を先行床２の床面と等しい大きさに設定するとともにこれらを重ね合わせた際の仮想グリッド線２ｃに沿わせて下框６を設置し、釘等の止着材で固定する。下框６はその中心線を前記仮想グリッド線２ｃより若干ずらしたうえで、仮想グリッド線２ｃに平行に沿わせて設置する。
一方、上框７には、図７および図８に示すように、固定金物１０を複数取り付けておき、これら固定金物１０を天井に固定することによって、上框７を天井に固定する。
【００２６】
ここで、図８に示すように、上框７の側面には、間仕切り壁パネルの上部を天井に固定するための固定金物１０を上框７の側面とほぼ面一かまたは該側面より窪ませて取り付けるための取付部１１が、框７の長手方向に所定間隔で複数形成されている。
取付部１１は対向する側面にそれぞれ形成されており、固定金物１０はこれら取付部１１，１１に嵌り込む取付板１０ａ，１０ａと、一方の取付板１０ａから側方に突出して天井の固定される固定板１０ｂとを備えている。取付部１１は上框７の側面を切り欠いて形成された溝状のもので、その深さは取付板１０ａの厚さより若干深くなっている。
そして、上框７を天井に固定する場合、取付部１１に固定金物１０の取付板１０ａを嵌め込んで固定するとともに、固定板１０ｂを天井に固定することにより行う。固定板１０ｂを天井に固定する場合、固定板１０ｂに形成されたアンカー孔１０ｃからアンカー１２を挿通して天井を構成する上階の床スラブに設置すればよい。
【００２７】
上記のようにして床上に、枠体５Ｗの一方の面に内装下地ボード５ｄを張り付けてなる間仕切り壁パネルを設置し天井に固定した後、枠体５Ｗの他方の表面に内装下地ボード５ｄを張り付けて、施工を終了する。
なお、間仕切り壁パネルを床上に配置していく場合、例えば図９に示すように、追い回しで配置する。つまり、所定の仮想グリッド線２ｃに沿わせて、間仕切り壁パネルＫ１を配置する。この間仕切り壁パネルＫ１の一方の端部には縦枠材８ｂが位置しており、他方の端部には縦枠材８ａが位置している。次に、間仕切り壁パネルＫ２を間仕切り壁パネルＫ１に直角に配置する。この場合、間仕切り壁パネルＫ１の縦枠材８ｂの側面に、間仕切り壁パネルＫ２の縦枠材８ａの端面を突き当てて接合する。次に、間仕切り壁パネルＫ３を間仕切り壁パネルＫ２に直角に配置する。この場合、間仕切り壁パネルＫ２の縦枠材８ｂの側面に、間仕切り壁パネルＫ３の縦枠材８ａの端面を突き当てて接合する。次に、間仕切り壁パネルＫ４を間仕切り壁パネルＫ３とＫ１とに直角に配置する。この場合、間仕切り壁パネルＫ３の縦枠材８ｂの側面に、間仕切り壁パネルＫ４の縦枠材８ａの端面を突き当てて接合するとともに、間仕切り壁パネルＫ４の縦枠材８ｂの側面を間仕切り壁パネルＫ１の縦枠材８ａの端面に当接して接合する。このようにして、間仕切り壁パネルＫ１〜Ｋ４を床上に追い回しによって配置していく。間仕切り壁パネルＫ１〜Ｋ４の両面にはそれぞれ内装下地ボード５ｄを張り付けるが、幅２Ｍの内装下地ボード５ｄを使用することによって無駄なく張り付けることができる。
【００２８】
また、間仕切り壁パネルをコーナ部で直角に接続する場合、図６（ａ）に示すように、一方の間仕切り壁パネルの一方の端部に、他方の間仕切り壁パネルの他方の端部を接続する。この場合、幅寸法がｄの縦枠材８ｂの側面に幅寸法がｄ／２の縦枠材８ａの端面を突き当てて接合することによって、間仕切り壁パネルをコーナ部で直角に接続することができる。これらの接合後に内装下地ボード５ｄが間仕切り壁パネル５の両側面に貼着される。
また、図６（ｂ）に示すように、間仕切り壁パネル５ａ，５ｂの接合部に間仕切り壁パネル５ｃが接合される場合、すなわち間仕切り壁パネル５ａ，５ｂ，５ｃが平面視においてＴ字状に接合される場合には、間仕切り壁パネル５ｂの縦桟８ｂの側面に、間仕切り壁パネル５ａの縦桟８ａの端面が接合されるとともに、間仕切り壁パネル５ｂの縦桟８ｂの端面に、間仕切り壁パネル５ｃの縦桟８ａの端面が接合され、これらの接合後に内装下地ボード５ｄ〜５ｆが間仕切り壁パネル５ａ〜５ｃの両側面に貼着される。
【００２９】
本実施の形態によれば、基準寸法の整数倍となっている上下の框７，６の対向する所望の凹部７ｃ，６ｃに、幅寸法がｄの縦中桟８の両端部が嵌め込まれ、上下の框７，６の対向する一方の端部の半凹部７ｂ，６ｂに、幅寸法がｄでかつ端部の幅寸法がｄ／２の縦枠材８ｂの両端部（凸部８ｃ，８ｃ）が嵌め込まれ、上下の框７，６の対向する他方の端部の半凹部７ａ，６ａに、幅寸法がｄ／２の縦枠材８ａの両端部が嵌め込まれてなる枠体５Ｗはその幅寸法が基本寸法の整数倍となった矩形枠状となる。このような枠体５Ｗを製造する際に、凹部７ｃ，６ｃや半凹部７ａ，６ａ，７ｂ，６ｂがガイドとなるので、いちいち位置出し、墨出しを行う必要がない。そして、この枠体５Ｗの表面に内装下地ボード５ｄを設けることによって間仕切り壁がつくられる。前記基準寸法は、内装下地ボード５ｄの幅寸法を整数で除した値であるので、枠体５Ｗの表面には内装下地ボード５ｄを無駄なく設けることができる。
また、間仕切り壁パネルをコーナ部で直角に接続する場合、一方の間仕切り壁パネルの一方の端部に、他方の間仕切り壁パネルの他方の端部を接続する際に、幅寸法がｄの縦枠材８ｂに幅寸法がｄ／２の縦枠材８ａを突き当てることによって、間仕切り壁パネルどうしを精度良く接続できる。
このように間仕切り壁パネルをそのまま、あるいは複数接続することによって、現場において様々のサイズの間仕切り壁を容易にかつ精度高く製造できる。
特に、上記のような基準寸法を１モジュールとして、住戸の平面プランを作成することによって、前記間仕切り壁パネルによって精度よくかつ容易に間仕切り壁を施工することができる。
【００３０】
また、上框７の側面に、間仕切り壁パネルの上部を天井に固定するための固定金物１０を取り付けるための取付部１１が所定間隔で複数形成されているので、間仕切り壁パネルの上端部を天井に容易に固定できる。
また、取付部１１に固定金物１０を取り付けた場合、固定金物１０の取付板１０ａが上框７の側面とほぼ面一かまたは該側面より窪んでいるので、上框７の側面に内装下地ボード５ｄを固定金物１０に干渉することなく設けることができる。
さらに、間仕切り壁パネル５は、仮想床面を先行床２の床面と等しい大きさに設定するとともにこれらを重ね合わせた際の仮想グリッド線２ｃに沿わせて先行床２に配置されるため、間仕切り壁パネル５の施工時及びリフォーム時に、間仕切り壁パネル５の位置決めが容易になるとともに、現場においては、配管等が躯体床１と先行床２との間に収納された状態で予め製作された間仕切り壁パネル５を所望の位置に設置するだけでよいため、施工を容易に行うことができる。
【００３１】
また、支持脚３は、仮想床面を先行床２の床面と等しい大きさに設定するとともにこれらを重ね合わせた際の仮想グリッド線２ｃ同士の交点に配置されるため、先行床２を介して間仕切り壁パネル５の直下で該先行床２及び間仕切り壁パネル５を支持することになる。よって、間仕切り壁パネル５の荷重によって先行床２が撓むのを防ぐことができる。また、支持脚３の位置が変則的になるのを防ぐことができるため、先行床２の強度の偏りを解消することができる。
さらに、先行床２及び間仕切り壁パネル５を支える支持脚３は、仮想床面を先行床２の床面と等しい大きさに設定するとともにこれらを重ね合わせた際の仮想グリッド線２ｃ同士の交点に配置されるため、配管４を支持脚３に接触しないように配置することができる。
また、先行床２が有する床パネル２ａは、縦及び横の寸法が仮想グリッド線２ｃの所定寸法の整数倍であるため、予め工場等で製作しておくことができる。従って、現場においては、これらの床パネル２ａを支持脚３上に設けるだけでよいため、施工を容易に行うことができる。また、床パネル２ａの端部が支持脚３上に位置するため、先行床２上に載置される家具等の荷重によって床パネル２ａの端部が撓むのを防ぐことができるとともに、隣接する床パネル２ａ同士の境界線が仮想グリッド線２ｃの一部と対応するため、床パネル２ａの設置後に床パネル２ａの境界線に対する仮想グリッド線２ｃの相対的な位置を容易に知ることができる。
【図面の簡単な説明】
【００３２】
【図１】本発明に係る間仕切り壁パネルを有する建物の居住空間に、仮想グリッド線を重ね合わせた平面図である。
【図２】建物の居住空間の躯体床に支持脚及び配管を設置した状態の平面図である。
【図３】支持脚に支持された床パネルを示す斜視図である。
【図４】建物の居住空間を示すもので、（ａ）は仮想グリッド線及び支持脚を破線で示した床の平面図、（ｂ）は床パネルを設置した状態の床の平面図である。
【図５】本発明に係る間仕切り壁パネルの構成を示すもので、（ａ）は組立前の正面図、（ｂ）は組立後の正面図である。
【図６】本発明に係る間仕切り壁パネル同士の接合部分を示すもので、（ａ）は間仕切り壁パネルを直角に接合した状態の平面図、（ｂ）は間仕切り壁パネルを平面視Ｔ字状に接合した状態の平面図である。
【図７】本発明に係る間仕切り壁パネルを床と天井に固定した状態を示す断面図である。
【図８】本発明に係る間仕切り壁パネルを構成する上下の框と固定金物を示す斜視図である。
【図９】本発明に係る間仕切り壁パネルを追い回しで配置した状態を示す平面図である。
【符号の説明】
【００３３】
５  間仕切り壁パネル
Ｋ１〜Ｋ４  間仕切り壁パネル
５Ｗ  枠体
５ｄ〜５ｆ  内装下地ボード
６  下框
６ａ，６ｂ  半凹部
６ｃ  凹部
７  上框
７ａ，７ｂ  半凹部
７ｃ  凹部
８  縦中桟
８ａ  縦枠材
８ｂ  縦枠材
１０  固定金物
１１  取付部
【図１】
0004702717.tif 000002
【図２】
0004702717.tif 000003
【図３】
0004702717.tif 000004
【図４】
0004702717.tif 000005
【図５】
0004702717.tif 000006
【図６】
0004702717.tif 000007
【図７】
0004702717.tif 000008
【図８】
0004702717.tif 000009
【図９】
0004702717.tif 000010